(57)【特許請求の範囲】
【請求項１】
電話番号と前記電話番号に対応する使用者の氏名又は名称をメッセージ内容として含むメールを作成する第１制御部と、前記メールを、ショートメッセージサービスを利用して送信し、前記送信後に前記メールの送信先に音声通話のための発信を行う通信部とを有する送信側電話機と、
受信したメールの内、前記メッセージ内容を含むメールを特定し、前記特定したメールのメッセージ内容が有する電話番号と、着信電話番号とが一致するか否かを判断する第２制御部と、前記電話番号同士が一致する場合は、前記発信に対応する着信であるとして着信時に前記メッセージ内容が有する氏名又は名称を出力する出力部とを有する受信側電話機とを備え、
前記受信側電話機は、前記受信側電話機の使用モードを、前記着信電話番号が前記受信側電話機に電話帳登録された番号であっても、前記第２制御部が、前記特定したメールのメッセージ内容が有する電話番号と、前記着信電話番号とが一致すると判断した場合に、前記出力部が前記着信時に前記メッセージ内容が有する氏名又は名称を出力する電話使用者名称表示モードと、前記メッセージ内容が有する電話番号と前記着信電話番号とが一致するか否かに関わらず、前記着信電話番号に対応し前記受信側電話機に電話帳登録された氏名または名称を出力するその他のモードとを切り替える操作部を有することを特徴とする発信者通知システム。
【請求項２】
前記受信側電話機への音声通話の為の発信は、前記受信側電話機へのメール送信後、第１時間内に行われることを特徴とする請求項１に記載の発信者通知システム。
【請求項３】
前記メールの作成、及び前記メールの送信は、前記送信側電話機の使用者による発信指示後で発信前に行われることを特徴とする請求項１に記載の発信者通知システム。
【請求項４】
前記メッセージ内容は、前記メッセージ内容が前記送信側電話機の電話番号や使用者の氏名又は名称を有するか否かの判断に使用する識別記号を有することを特徴とする請求項１に記載の発信者通知システム。
【請求項５】
電話番号と前記電話番号に対応する使用者の氏名又は名称をメッセージ内容として含むメールを作成する第１制御部と、前記メールを、ショートメッセージサービスを利用して送信し、前記送信後に前記メールの送信先に音声通話のための発信を行う通信部とを有する送信側電話機と、
受信したメールの内、前記メッセージ内容を含むメールを特定し、前記特定したメールのメッセージ内容が有する電話番号と、着信電話番号とが一致するか否かを判断する第２制御部と、前記電話番号同士が一致する場合は、前記発信に対応する着信であるとして着信時に前記メッセージ内容が有する氏名又は名称を出力する出力部とを有する受信側電話機とを備え、
前記第２制御部が、前記特定したメールのメッセージ内容が有する電話番号と、前記着信電話番号とが一致すると判断し、且つ前記特定したメールのメッセージ内容が強制表示に関する識別記号を有すると判断した場合に、前記着信電話番号が前記受信側電話機に電話帳登録された番号であっても、前記出力部は前記着信時に前記メッセージ内容が有する氏名又は名称を出力し、前記メッセージ内容が前記識別番号を有しないと判断した場合に、前記出力部は前記着信時に前記着信電話番号に対応し前記受信側電話機に電話帳登録された氏名または名称を出力することを特徴とする発信者通知システム。
【請求項６】
受信したメールの内、送信側電話機の電話番号と前記送信側電話機の使用者の氏名又は名称を含むメッセージ内容のショートメッセージサービスを利用したメールを特定し、前記特定したメールのメッセージ内容が有する電話番号と、着信電話番号とが一致するか否かを判断する制御部と、
前記電話番号同士が一致する場合は、前記送信側電話機からの発信に対応する着信であるとして着信時に前記メッセージ内容が有する氏名又は名称を出力する出力部とを備える受信側電話機であって、
前記受信側電話機の使用モードを、前記着信電話番号が前記受信側電話機に電話帳登録された番号であっても、前記制御部が、前記特定したメールのメッセージ内容が有する電話番号と、前記着信電話番号とが一致すると判断した場合に、前記出力部が前記着信時に前記メッセージ内容が有する氏名又は名称を出力する電話使用者名称表示モードと、前記メッセージ内容が有する電話番号と前記着信電話番号とが一致するか否かに関わらず、前記着信電話番号に対応し前記受信側電話機に電話帳登録された氏名または名称を出力するその他のモードとを切り替える操作部を更に備えることを特徴とする受信側電話機。
【請求項７】
受信したメールの内、送信側電話機の電話番号と前記送信側電話機の使用者の氏名又は名称を含むメッセージ内容のショートメッセージサービスを利用したメールを特定し、前記特定したメールのメッセージ内容が有する電話番号と、着信電話番号とが一致するか否かを判断する制御部と、
前記電話番号同士が一致する場合は、前記送信側電話機からの発信に対応する着信であるとして着信時に前記メッセージ内容が有する氏名又は名称を出力する出力部とを備える受信側電話機であって、
前記制御部が、前記特定したメールのメッセージ内容が有する電話番号と、前記着信電話番号とが一致すると判断し、且つ前記特定したメールのメッセージ内容が強制表示に関する識別記号を有すると判断した場合に、前記着信電話番号が前記受信側電話機に電話帳登録された番号であっても、前記出力部は前記着信時に前記メッセージ内容が有する氏名又は名称を出力し、前記メッセージ内容が前記識別番号を有しないと判断した場合に、前記出力部は前記着信時に前記着信電話番号に対応し前記受信側電話機に電話帳登録された氏名または名称を出力することを特徴とする受信側電話機。
【請求項８】
送信側電話機において、前記送信側電話機の電話番号と前記電話番号に対応する使用者の氏名又は名称をメッセージ内容として含むメールを作成する第１ステップと、
前記送信側電話機の通信部が、前記メールを、ショートメッセージサービスを利用して送信する第２ステップと、
前記送信後に、前記通信部が、前記メールの送信先に音声通話のための発信を行う第３ステップと、
受信側電話機の制御部において、受信したメールの内、前記メッセージ内容を含むメールを特定し、前記特定したメールのメッセージ内容が有する電話番号と、着信電話番号とが一致するか否かを判断する第４ステップと、
前記受信側電話機の出力部において、前記電話番号同士が一致する場合であって、且つ前記受信側電話機の使用モードが、前記メッセージ内容が有する氏名又は名称を出力する電話使用者名称表示モードである場合は、前記発信に対応する着信であるとして着信時に前記メッセージ内容が有する氏名又は名称を出力し、前記電話番号同士が一致する場合であって、且つ前記受信側電話機の使用モードが、前記メッセージ内容が有する電話番号と前記着信電話番号とが一致するか否かに関わらず、前記着信電話番号に対応し前記受信側電話機に電話帳登録された氏名または名称を出力するその他のモードである場合は、着信時に前記受信側電話機に電話帳登録された氏名または名称を出力する第５ステップとを備える受信側電話機において発信者の氏名又は名称を出力する方法。
【請求項９】
送信側電話機において、前記送信側電話機の電話番号と前記電話番号に対応する使用者の氏名又は名称をメッセージ内容として含むメールを作成する第１ステップと、
前記送信側電話機の通信部が、前記メールを、ショートメッセージサービスを利用して送信する第２ステップと、
前記送信後に、前記通信部が、前記メールの送信先に音声通話のための発信を行う第３ステップと、
受信側電話機の制御部において、受信したメールの内、前記メッセージ内容を含むメールを特定し、前記特定したメールのメッセージ内容が有する電話番号と、着信電話番号とが一致するか否かを判断する第４ステップと、
前記受信側電話機の出力部において、前記電話番号同士が一致する場合であって、且つ前記特定したメールのメッセージ内容が強制表示に関する識別記号を有する場合は、前記着信電話番号が前記受信側電話機に電話帳登録された番号であっても、前記発信に対応する着信であるとして着信時に前記メッセージ内容が有する氏名又は名称を出力し、前記電話番号同士が一致する場合であって、且つ前記メッセージ内容が前記識別番号を有しない場合は、前記着信時に前記着信電話番号に対応し前記受信側電話機に電話帳登録された氏名または名称を出力する第５ステップとを備える受信側電話機において発信者の氏名又は名称を出力する方法。
【発明の詳細な説明】
【技術分野】
【０００１】
本発明は、電話機に関し、特に電話帳登録していない発信者の名称などを着信時に表示する電話機に関する。
【背景技術】
【０００２】
発信者の番号通知案内サービスと、電話帳登録された電話番号とこれに対応する名称などに基づいて、着信時に発信者の名称などを表示する電話機が提案されている。
【０００３】
特許文献１は、電話帳登録されている人からの着信か否かを判断し、電話帳登録されている場合に相手先の電話番号と名称を表示する通信装置を開示する。
【特許文献１】特開２００３−２８３６４３号公報
【発明の開示】
【発明が解決しようとする課題】
【０００４】
しかし、特許文献１の装置は、電話帳登録されていない場合は、着信時に発信者の氏名又は名称を出力（表示）させることが出来ない。
【０００５】
したがって本発明の目的は、電話番号と電話番号に対応する使用者の氏名又は名称とが電話帳登録されていない場合であっても、着信時に発信者の氏名又は名称を出力する電話機を提供することである。
【課題を解決するための手段】
【０００６】
本発明に係る発信者通知システムは、電話番号と電話番号に対応する使用者の氏名又は名称をメッセージ内容として含むメールを作成する第１制御部と、メールを、ショートメッセージサービスを利用して送信し、送信後にメールの送信先に音声通話のための発信を行う通信部とを有する送信側電話機と、受信したメールの内、メッセージ内容を含むメールを特定し、特定したメールのメッセージ内容が有する電話番号と、着信電話番号とが一致するか否かを判断する第２制御部と、電話番号同士が一致する場合は、発信に対応する着信であるとして着信時にメッセージ内容が有する氏名又は名称を出力する出力部とを有する受信側電話機とを備える。
【０００７】
好ましくは、受信側電話機への音声通話の為の発信は、受信側電話機へのメール送信後、第１時間内に行われる。
【０００８】
また、好ましくは、メールの作成、及びメールの送信は、送信側電話機の使用者による発信指示後で発信前に行われる。
【０００９】
また、好ましくは、メッセージ内容は、メッセージ内容が送信側電話機の電話番号や使用者の氏名又は名称を有するか否かの判断に使用する識別記号を有する。
【００１０】
また、好ましくは、受信側電話機は、受信側電話機の使用モードを、着信電話番号が受信側電話機に電話帳登録された番号であっても、第２制御部が、特定したメールのメッセージ内容が有する電話番号と、着信電話番号とが一致すると判断した場合に、出力部が着信時にメッセージ内容が有する氏名又は名称を出力する電話使用者名称表示モードに切り替える操作部を有する。
【００１１】
また、好ましくは、第２制御部が、特定したメールのメッセージ内容が有する電話番号と、着信電話番号とが一致すると判断し、且つ特定したメールのメッセージ内容が強制表示に関する識別記号を有すると判断した場合に、着信電話番号が受信側電話機に電話帳登録された番号であっても、出力部は着信時にメッセージ内容が有する氏名又は名称を出力する。
【００１２】
また、本発明に係る受信側電話機は、受信したメールの内、送信側電話機の電話番号と送信側電話機の使用者の氏名又は名称を含むメッセージ内容のショートメッセージサービスを利用したメールを特定し、特定したメールのメッセージ内容が有する電話番号と、着信電話番号とが一致するか否かを判断する制御部と、電話番号同士が一致する場合は、送信側電話機からの発信に対応する着信であるとして着信時にメッセージ内容が有する氏名又は名称を出力する出力部とを備える。
【００１３】
また、本発明に係る受信側電話機において発信者の氏名又は名称を出力する方法は、送信側電話機において、送信側電話機の電話番号と電話番号に対応する使用者の氏名又は名称をメッセージ内容として含むメールを作成する第１ステップと、送信側電話機の通信部が、メールを、ショートメッセージサービスを利用して送信する第２ステップと、送信後に、通信部が、メールの送信先に音声通話のための発信を行う第３ステップと、受信側電話機の制御部において、受信したメールの内、メッセージ内容を含むメールを特定し、特定したメールのメッセージ内容が有する電話番号と、着信電話番号とが一致するか否かを判断する第４ステップと、受信側電話機の出力部において、電話番号同士が一致する場合は、発信に対応する着信であるとして着信時にメッセージ内容が有する氏名又は名称を出力する第５ステップとを備える。
【発明の効果】
【００１４】
以上のように本発明によれば、電話番号と電話番号に対応する使用者の氏名又は名称とが電話帳登録されていない場合であっても、着信時に発信者の氏名又は名称を出力する電話機を提供することができる。
【発明を実施するための最良の形態】
【００１５】
以下、第１実施形態について、図を用いて説明する。第１実施形態における発信者通知システム１は、送信側電話機１００、及び受信側電話機２００とを備える。
【００１６】
送信側電話機１００は、第１操作部１１０、第１記録部１２０、第１通信部１３０、第１表示部１４０、及び第１制御部１９０を有する。
【００１７】
第１操作部１１０は、電話番号などを入力するテンキーなどの入力手段である。第１送信側電話機１００の使用者が第１操作部１１０を操作することによって、電話番号の入力、第１記録部１２０に記録した（電話帳登録した）電話番号の選択、及び送信側電話機１００の個人データ編集、発信指示が行われる。第１操作部１１０は、使用者の選択により、送信側電話機１００の使用モードを、電話使用者名称通知モードと、通常操作モードとで切り替えを行う。
【００１８】
第１記録部１２０は、送信側電話機１００の個人データ、及び電話帳データが記録される。
【００１９】
個人データは、送信側電話機１００の使用者の氏名又は名称、送信側電話機１００の電話番号を有する。個人データは、送信側電話機１００のメールアドレスを有しても良い。送信側電話機１００の電話番号は、送信側電話機１００の個人データとしてＳＩＭ（Ｓｕｂｓｃｒｉｂｅｒ  Ｉｄｅｎｔｉｔｙ  Ｍｏｄｕｌｅ）カード、ＵＩＭ（Ｕｓｅｒ  Ｉｄｅｎｔｉｔｙ  Ｍｏｄｕｌｅ）カードなどに予め登録されているものを用いるので、使用者が第１操作部１１０を介して特に入力する必要はない。
【００２０】
送信側電話機１００の電話帳データは、受信側電話機２００の電話番号などを有する。但し、受信側電話機２００への発信時の電話番号は、送信側電話機１００の使用者が第１操作部１１０を操作して直接入力してもよいので、電話帳データとして第１記録部１２０に記録されていなくてもよい。
【００２１】
第１実施形態では、送信側電話機１００の電話番号：０９０−８７６５−４３２１、及び氏名：鈴木一郎が個人データとして、受信側電話機２００の電話番号０９０−１２３４−５６７８、及び氏名：山田太郎が電話帳データとして第１記録部１２０に記録されるとして説明する。
【００２２】
第１記録部１２０は、送信側電話機１００に内蔵された記録媒体でもよいし、送信側電話機１００から着脱可能な記録媒体であってもよい。
【００２３】
第１通信部１３０は、電波を送受信し、電話回線を介して、受信側電話機２００と音声通話、及びショートメッセージサービスを利用した通信（メール送受信）が可能な状態にする。
【００２４】
第１表示部１４０は、第１操作部１１０による操作状況、第１通信部１３０による通信状況などを表示する。図１における第１表示部１４０は、電話使用者名称通知モードで、送信側電話機１００が、電話番号：０９０−１２３４−５６７８、及び使用者氏名：山田太郎である受信側電話機２００に対して音声通話の為の発信を行っている状態を示す。
【００２５】
第１制御部１９０は、各部の制御を行う。送信側電話機１００が電話使用者名称通知モードの場合、第１制御部１９０は、送信側電話機１００の使用者による発信指示後であって、受信側電話機２００への発信前に、送信側電話機１００の使用者の氏名又は名称と、送信側電話機１００の電話番号を有するメッセージ内容のメールを作成し、第１通信部１３０を介して、作成したメールを、ショートメッセージサービスを利用して、受信側電話機２００に送信する。
【００２６】
メッセージ内容が送信側電話機１００の電話番号や使用者の氏名又は名称を有するか否かの判断を容易にするために、識別記号（例えば、“送信側情報です”）をメッセージ内容の文頭などに付けておくのが望ましい。具体例として、送信側電話機１００の電話番号が０９０−８７６５−４３２１であり、使用者の氏名が鈴木一郎である場合のメッセージ内容は、識別記号と０９０８７６５４３２１と鈴木一郎の３つのテキストをコンマなどで区切ったテキストが挙げられる。図３は、受信側電話機２００の第２表示部２４０において受信した具体例に相当するメッセージ内容を表示した状態を示す。
【００２７】
また、メッセージ内容は、さらに送信側電話機１００の個人データとして登録されているメールアドレスを有しても良い。
【００２８】
メッセージ内容の内、識別記号、電話番号、使用者の氏名又は名称、及びメールアドレスの配列は、第１制御部１９０、第２制御部２９０に予め設定されている。
【００２９】
第１制御部１９０は、送信側電話機１００の使用者の氏名又は名称と、送信側電話機１００の電話番号を有するメッセージ内容のメールを受信側電話機２００に送信した後、第１時間ｔ１だけ経過するまでに受信側電話機２００に対して音声通話の為の発信を行う。第１時間ｔ１の値は出来るだけ短く設定するのが望ましい。
【００３０】
受信側電話機２００は、第２操作部２１０、第２記録部２２０、第２通信部２３０、第２表示部２４０、及び第２制御部２９０を有する。
【００３１】
第２操作部２１０は、電話番号などを入力するテンキーなどの入力手段である。第２操作部２１０の使用者が第２操作部２１０を操作することによって、電話番号入力、第２記録部２２０に記録した電話番号の選択、及び送信側電話機１００からショートメッセージサービスを利用して送られてきた送信側電話機１００の個人データの編集が行われる。第２操作部２１０は、使用者の選択により、受信側電話機２００の使用モードを、電話使用者名称表示モードと、通常表示モードとで切り替えを行う。第２操作部２１０は、使用者の選択により、送信側電話機１００からの発信に対応して受信側電話機２００を送信側電話機１００との通話状態にするか否かの切り替え（着信指示）を行う。
【００３２】
第２記録部２２０は、電話帳データが記録される。
【００３３】
第２記録部２２０は、受信側電話機２００に内蔵された記録媒体でもよいし、受信側電話機２００から着脱可能な記録媒体であってもよい。
【００３４】
第２通信部２３０は、電波を送受信し、電話回線を介して送信側電話機１００と音声通話、及びショートメッセージサービスの通信が可能な状態にする。
【００３５】
第２表示部２４０は、第２操作部２１０による操作状況、第２通信部２３０による通信状況などを表示する。図１における第２表示部２４０は、電話使用者名称表示モードで、電話番号：０９０−８７６５−４３２１、及び使用者氏名：鈴木一郎の送信側電話機１００から音声通話の為の着信がある状態を示す。
【００３６】
第２制御部２９０は、各部の制御を行う。受信側電話機２００が電話使用者名称表示モードの場合であって、第２制御部２９０は、着信電話番号と、送信側電話機１００からの着信前に、ショートメッセージサービスを利用して送信側電話機１００から受信したメールのメッセージ内容に含まれる電話番号とが一致する場合は、着信電話番号が既に電話帳登録されているものであっても、着信した電話番号とメッセージ内容に含まれる送信側電話機１００の使用者の氏名又は名称とを発信者の情報表示として着信時に第２表示部２４０に表示する。
【００３７】
第１実施形態では、着信時の送信側電話機１００の使用者の氏名又は名称を、視覚的に出力する第２表示部２４０を用いるが、音声合成などによる聴覚的な出力手段であってもよい。
【００３８】
第２制御部２９０によるメッセージ内容に含まれる電話番号と着信した電話番号とが一致するか否かの判断は、電話使用者名称表示モードの場合に行われる。送信側電話機１００の使用者の氏名又は名称と、送信側電話機１００の電話番号を有するメッセージ内容のメールの特定は、電話使用者名称表示モードであって、着信時から第２時間ｔ２だけ前の間にショートメッセージサービスを利用して受信したメールを対象に行われ、第２制御部２９０により対象となったメールのメッセージ内容を確認することにより行われる。第２時間ｔ２の長さは、送信側電話機１００が送信側電話機１００の使用者の氏名又は名称と、送信側電話機１００の電話番号を有するメッセージ内容のメールを送信してから第１時間ｔ１だけ後に発信した場合に、受信側電話機２００においてメールを受信してから着信するまでの時間に基づいて算出される。
【００３９】
メッセージ内容の文頭などに、メッセージ内容が送信側電話機１００の電話番号や使用者の氏名又は名称を有するか否かの判断を容易にするための識別記号等が含まれる場合（図３参照）には、第２制御部２９０は、受信したメールのメッセージ内容のそれぞれに識別記号等が含まれるか否かを判断する。
【００４０】
第１実施形態では、受信側電話機２００の第２記録部２２０の電話帳に、送信側電話機１００の電話番号に対応する使用者の氏名又は名称が登録されていない場合であっても、送信側電話機１００からの着信時に、第２表示部２４０に送信側電話機１００の使用者の電話番号に対応する氏名又は名称を表示することが可能になり、受信側電話機２００の使用者はこれを視認することが可能になる。また、着信電話番号が既に電話帳登録されている場合であっても、メッセージ内容が有する氏名又は名称と着信電話番号が表示されるので、着信電話番号に対応する氏名又は名称を電話帳登録されたものから変更したい場合に有効である。
【００４１】
送信側電話機１００による発信手順を図４のフローチャートを用いて説明する。ステップＳ１１で、発信指示が行われる。発信指示は、送信側電話機１００の使用者が第１操作部１１０を操作することにより行われる。なお、発信操作の前に、第１記録部１２０に、送信側電話機１００の個人データとして、電話番号とこれに対応する氏名又は名称を記録しておく。ステップＳ１２で、第１制御部１９０によって、送信側電話機１００が電話使用者名称通知モードにされているか否かが判断される。電話使用者名称通知モードにされていない場合、すなわち通常操作モードの場合は、ステップＳ１４に進められる。電話使用者名称通知モードの場合は、ステップＳ１３で、送信側電話機１００の使用者の氏名又は名称と、送信側電話機１００の電話番号を有するメッセージ内容が作成され、ショートメッセージサービスを利用して受信側電話機２００にメール送信される。ステップＳ１３から第１時間ｔ１経過後、ステップＳ１４で、送信側電話機１００から受信側電話機２００への発信が行われる。
【００４２】
送信側電話機１００の使用者の氏名又は名称と、送信側電話機１００の電話番号を有するメッセージ内容を送信するために利用されるショートメッセージサービスは、電話機やＰＨＳの間で単文の送受信が可能なサービスである。ショートメッセージサービスでは、メールアドレスを用いず電話番号を用いて送信するので、受信側電話機２００の電話番号さえ分かれば送信可能である。
【００４３】
第１実施形態では、送信側電話機１００による発信において、ショートメッセージサービスを利用して送信側電話機１００の使用者の氏名又は名称と、送信側電話機１００の電話番号を有するメッセージ内容が送信されるので、受信側電話機２００は、メッセージ内容に基づいて送信側電話機１００に関する電話番号、氏名又は名称、及びメールアドレスなどの付加情報を得ることができ、使用者の第２操作部２１０の使用によりこれらの情報を電話帳登録することが可能になる。
【００４４】
また、上記のように送信側電話機１００の使用者の氏名又は名称と、送信側電話機１００の電話番号を有するメッセージ内容に含まれるデータを受信側電話機２００の第２記録部２２０に電話帳登録しなくても、受信側電話機２００は、送信側電話機１００からの発信を受けた場合（着信時）に、送信側電話機１００の電話番号に対応する氏名又は名称を第２表示部２４０に表示させることが可能である。
【００４５】
受信側電話機２００による着信手順を図５のフローチャートを用いて説明する。図４の発信手順において、送信側電話機１００が電話番号名称通知モードで、受信側電話機２００に発信した場合は、図５の着信手順において、送信側電話機１００からの着信がある前に、送信側電話機１００の使用者の氏名又は名称と、送信側電話機１００の電話番号を有するメッセージ内容がショートメッセージサービスを利用して受信側電話機２００に送信される。
【００４６】
ステップＳ２１で、受信側電話機２００において着信があると、ステップＳ２２で、第２制御部２９０により、受信側電話機２００の使用モードが電話使用者名称表示モードにされているか否かが判断される。電話使用者名称表示モードにされている場合は、ステップＳ２３で、第２制御部２９０により、着信の前の第２時間ｔ２の間にショートメッセージサービスを利用して受信したメールを確認する。具体的には、送信側電話機１００の使用者の氏名又は名称と、送信側電話機１００の電話番号を有するメッセージ内容が含まれるメールを検索する。ステップＳ２４で、第２制御部２９０により、メッセージ内容に含まれる電話番号と、送信側電話機の電話番号（着信電話番号）とが一致するか否かが判断される。
【００４７】
一致する場合は、ステップＳ２５で、電話使用者名称表示モードで送信側電話機１００の電話番号（着信電話番号）とこれに対応する氏名又は名称が第２表示部２４０に表示される（図１参照）。すなわち、送信側電話機１００の電話番号と、これに対応したメッセージ内容が有する送信側電話機１００の使用者の氏名又は名称とが、第２表示部２４０に表示される。但しこの場合、電話番号を表示せずメッセージ内容が有する氏名又は名称だけを表示してもよい。受信側電話機２００の使用者は、着信電話番号が電話帳登録されたものであるか否かに関わらず、第２表示部２４０に表示された電話番号に対応する氏名又は名称などを視認して、着信に対応して通話状態にするか否かを判断することが可能になる。
【００４８】
ステップＳ２２において、受信側電話機２００の使用モードが電話使用者名称表示モードでない、すなわち通常表示モードであると判断された場合、及びステップＳ２４の判断で、メッセージ内容が有する電話番号と着信電話番号とが一致しない場合、及びメッセージ内容を含むメールを受信していない場合は、ステップＳ２６で、第２制御部２９０により、送信側電話機１００の電話番号（着信電話番号）が、受信側電話機２００の第２記録部２２０に記録された電話帳に登録済みか否かが判断される。
【００４９】
登録済みの場合は、ステップＳ２７で、通常表示モードで、送信側電話機１００の電話番号（着信電話番号）とこれに対応して電話帳登録された氏名又は名称が第２表示部２４０に表示される。但しこの場合、電話番号を表示せず電話帳登録された氏名又は名称だけ表示してもよい。受信側電話機２００の使用者は、第２表示部２４０に表示された電話番号に対応する氏名又は名称などを視認して、着信に対応して通話状態にするか否かを判断することが可能になる。
【００５０】
登録済みでない場合は、ステップＳ２８で、通常表示モードで送信側電話機１００の電話番号（着信電話番号）が第２表示部２４０に表示される。すなわち、送信側電話機１００の電話番号だけが第２表示部２４０に表示される。従って、受信側電話機２００の使用者は、第２表示部２４０に表示された電話番号だけを視認して、着信に対応して通話状態にするか否かを判断する必要がある。
【００５１】
次に第２実施形態について説明する。第２実施形態では、送信側電話機１００が作成するメッセージ内容は、送信側電話機１００の使用者が選択した場合に、強制表示に関する識別記号を有する。メッセージ内容が強制表示に関する識別記号を有する場合は、受信側電話機２００の使用モードに関わらず、着信電話番号が電話帳に登録済みか否かに関わらず、メッセージ内容が有する氏名又は名称を着信電話番号と共に表示する。メッセージ内容が強制表示に関する識別記号を有するか否かは、送信側電話機１００の使用者によって選択される。その他の形態については、第１実施形態と同様である。
【００５２】
強制表示に関する識別記号は、例えば、“強制表示”がメッセージ内容の文末などに付けられる（図６参照）。
【００５３】
第２実施形態における受信側電話機２００による着信手順を図７のフローチャートを用いて説明する。図４の発信手順において、送信側電話機１００が電話番号名称通知モードで、受信側電話機２００に発信した場合は、図６の着信手順において、送信側電話機１００からの着信がある前に、送信側電話機１００の使用者の氏名又は名称と、送信側電話機１００の電話番号を有するメッセージ内容がショートメッセージサービスを利用して受信側電話機２００に送信される。
【００５４】
ステップＳ４１で、受信側電話機２００において着信があると、ステップＳ４２で、第２制御部２９０により、着信の前の第２時間ｔ２の間にショートメッセージサービスを利用して受信したメールを確認する。具体的には、送信側電話機１００の使用者の氏名又は名称と、送信側電話機１００の電話番号を有するメッセージ内容が含まれるメールを検索する。ステップＳ４３で、第２制御部２９０により、メッセージ内容に含まれる電話番号と、送信側電話機１００の電話番号（着信電話番号）とが一致するか否かが判断される。一致する場合は、ステップＳ４４で、メッセージ内容に強制表示に関する識別記号が含まれるか否かが判断される。
【００５５】
メッセージ内容に強制表示に関する識別記号が含まれる場合は、ステップＳ４５で、送信側電話機１００の電話番号（着信電話番号）とこれに対応する氏名又は名称が第２表示部２４０に表示される（図１参照）。すなわち、送信側電話機１００の電話番号と、これに対応したメッセージ内容が有する送信側電話機１００の使用者の氏名又は名称とが、第２表示部２４０に表示される。但しこの場合、電話番号を表示せずメッセージ内容が有する氏名又は名称だけを表示してもよい。受信側電話機２００の使用者は、使用モードに関わらず、着信電話番号が電話帳登録されたものであるか否かに関わらず、第２表示部２４０に表示された電話番号に対応してメッセージ内容が有する氏名又は名称などを視認して、着信に対応して通話状態にするか否かを判断することが可能になる。
【００５６】
ステップＳ４３において、メッセージ内容が有する電話番号と着信電話番号とが一致しない場合、及びメッセージ内容を含むメールを受信していない場合は、ステップＳ４６で、第２制御部２９０により、送信側電話機１００の電話番号（着信電話番号）が、受信側電話機２００の第２記録部２２０に記録された電話帳に登録済みか否かが判断される。
【００５７】
ステップＳ４６において、登録済みでないと判断された場合は、ステップＳ４７で、送信側電話機１００の電話番号（着信電話願号）が第２表示部２４０に表示される。すなわち、送信側電話機１００の電話番号だけが第２表示部２４０に表示される。従って、受信側電話機２００の使用者は、第２表示部２４０に表示された電話番号だけを視認して、着信に対応して通話状態にするか否かを判断する必要がある。
【００５８】
ステップＳ４６において、登録済みであると判断された場合は、ステップＳ４８で、送信側電話機１００の電話番号（着信電話番号）とこれに対応して電話帳登録された氏名又は名称が第２表示部２４０に表示される。但しこの場合、電話番号を表示せず電話帳登録された氏名又は名称だけ表示してもよい。受信側電話機２００の使用者は、第２表示部２４０に表示された電話番号に対応する氏名又は名称などを視認して、着信に対応して通話状態にするか否かを判断することが可能になる。
【００５９】
ステップＳ４４において、メッセージ内容に強制表示に関する識別記号が含まれない場合は、ステップＳ４９で、第２制御部２９０により、送信側電話機１００の電話番号（着信電話番号）が、受信側電話機２００の第２記録部２２０に記録された電話帳に登録済みか否かが判断される。
【００６０】
ステップＳ４９において、登録済みでないと判断された場合は、ステップＳ４５に進められ、登録済みであると判断された場合は、ステップＳ４８に進められる。
【図面の簡単な説明】
【００６１】
【図１】第１実施形態における送信側電話機、受信側電話機の構成図である。
【図２】送信側電話機、受信側電話機のブロック図である。
【図３】第２表示部で表示されるメッセージ内容を示す図である。
【図４】送信側電話機における発信手順を示すフローチャートである。
【図５】第１実施形態における受信側電話機における着信手順を示すフローチャートである。
【図６】第２実施形態における第２表示部で表示されるメッセージ内容を示す図である。
【図７】第２実施形態における受信側電話機における着信手順を示すフローチャートである。
【符号の説明】
【００６２】
１００  送信側電話機
１１０  第１操作部
１２０  第１記録部
１３０  第１通信部
１４０  第１表示部
１９０  第１制御部
２００  受信側電話機
２１０  第２操作部
２２０  第２記録部
２３０  第２通信部
２４０  第２表示部
２９０  第２制御部
【図１】
0004619263.tif 000002
【図２】
0004619263.tif 000003
【図３】
0004619263.tif 000004
【図４】
0004619263.tif 000005
【図５】
0004619263.tif 000006
【図６】
0004619263.tif 000007
【図７】
0004619263.tif 000008